【手続補正書】
【提出日】平成30年5月25日(2018.5.25)
【手続補正１】
【補正対象書類名】特許請求の範囲
【補正対象項目名】全文
【補正方法】変更
【補正の内容】
【特許請求の範囲】
【請求項１】
動的な帯域幅管理のための方法であって、
トレーニング期間中に免許不要スペクトルにおける複数のチャネルを監視することによってトレーニングデータを取得することと、
前記複数のチャネルのうちの少なくとも第１のチャネルが送信に利用可能であると決定することと、
を備え、
前記トレーニングデータに基づいて、前記複数のチャネルのうちのさらなるチャネルが前記送信に利用可能になるのを待つかどうかを決定すること
によって特徴付けられる、方法。
【請求項２】
前記トレーニングデータを取得することが、
チャネル状態のセットに対して、前記送信に続く送信機会内にさらなるチャネルが利用可能にならない可能性を示す確率の対応するセットを推定することを備える、請求項１に記載の方法。
【請求項３】
さらなるチャネルが利用可能にならない前記確率を推定することが、
前記トレーニング期間中の複数の送信時間に対して、前記複数の送信時間の各々に続く送信機会の間に前記さらなるチャネルが利用可能になったかどうかを決定することと、
前記複数の送信時間の各々を、前記送信時間におけるチャネル状態の前記セットのうちのそれぞれのチャネル状態と関連付けることと、
さらなるチャネルが利用可能になっていない、各チャネル状態に対する前記複数の送信時間の一部を決定することと
を備える、請求項２に記載の方法。
【請求項４】
チャネル状態の前記セットが、前記それぞれの送信時間における利用可能なチャネルの数に基づく、請求項２に記載の方法。
【請求項５】
チャネル状態の前記セットが、前記それぞれの送信時間における利用可能なチャネルの組合せに基づく、請求項２に記載の方法。
【請求項６】
前記さらなるチャネルを待つかどうかを決定することが、
チャネル状態の前記セットからの第１のチャネル状態に基づいて確率の前記セットから第１の確率を選択することと、ここにおいて、前記第１のチャネル状態が現在のチャネル状態であり、
第１の乱数または擬似乱数を生成することと、
前記第１の乱数または擬似乱数が第１のしきい値を超えるとき、前記さらなるチャネルを待つことと、ここにおいて、前記第１のしきい値が前記確率に基づく、
を備える、請求項２に記載の方法。
【請求項７】
第１のさらなるチャネルが利用可能になったと決定することと、
チャネル状態の前記セットからの第２のチャネル状態に基づいて確率の前記セットから第２の確率を選択することと、
第２の乱数または擬似乱数を生成することと、
前記第２の乱数または擬似乱数が第２のしきい値を超えるとき、第２のさらなるチャネルを待つことと、ここにおいて、前記第２のしきい値が前記第２の確率に基づく、
をさらに備える、請求項６に記載の方法。
【請求項８】
前記トレーニングデータを取得することが、
前記複数のチャネルのうちの少なくとも１つの利用可能なチャネルを有する潜在的送信時間に対して複数のサンプルを収集することと、各サンプルが、前記複数のチャネルにそれぞれ対応する複数のバックオフカウンタの状態を示し、
前記サンプルの前記送信時間が好ましい送信時間であるかどうかを決定するために各サンプルを評価することと
を備える、請求項１に記載の方法。
【請求項９】
前記トレーニングデータに基づいて、前記複数のチャネルのうちのさらなるチャネルが前記送信に利用可能になるのを待つかどうかを決定することが、前記複数のサンプルに基づいて前記複数のチャネルに対して現在のカウンタ状態ベクトルを分類するために機械学習分類器を使用することを備える、請求項８に記載の方法。
【請求項１０】
各サンプルの利用可能なチャネルの数に基づいて前記複数のサンプルを異なるセットに分けることをさらに備え、ここにおいて、現在のカウンタ状態ベクトルを分類するために機械学習分類器を使用することが、前記現在のカウンタ状態ベクトルの利用可能なチャネルの数に対応する前記セットに基づいて前記現在のカウンタ状態ベクトルを分類するために前記機械学習分類器を使用することを備える、請求項９に記載の方法。
【請求項１１】
前記サンプルの前記送信時間が好ましい送信時間であると決定することが、
前記送信時間に続く送信機会の間に利用可能なチャネルの数が増えなかったと決定すること、または、
前記送信時間に続く送信機会の間に前記利用可能なチャネルの利用可能な帯域幅が増えなかったと決定すること、
を備える、請求項８に記載の方法。
【請求項１２】
利用可能なチャネルに対応する前記複数のバックオフカウンタからのバックオフカウンタの前記状態が、前記利用可能なチャネルが利用可能である時間量を示す、請求項８に記載の方法。
【請求項１３】
送信機会の継続時間の間待つことと、前記送信機会の前記継続時間の間にさらなるチャネルが利用可能にならないとき、前記少なくとも１つのチャネル上で送信することとをさらに備える、請求項１に記載の方法。
【請求項１４】
動的な帯域幅管理のための装置であって、
トレーニング期間中に免許不要スペクトルにおける複数のチャネルを監視することによってトレーニングデータを取得するように構成されたチャネル評価構成要素と、
前記複数のチャネルのうちの少なくとも第１のチャネルが送信に利用可能であると決定するように構成されたトレーニング構成要素と、
を備え、
前記トレーニングデータに基づいて、前記複数のチャネルのうちのさらなるチャネルが前記送信に利用可能になるのを待つかどうかを決定するように構成されたチャネル選択構成要素
によって特徴付けられる、装置。
【請求項１５】
コンピュータ実行可能コードを記憶するコンピュータ可読媒体であって、
トレーニング期間中に免許不要スペクトルにおける複数のチャネルを監視することによってトレーニングデータを取得するためのコードと、
前記複数のチャネルのうちの少なくとも第１のチャネルが送信に利用可能であると決定するためのコードと、
を備え、
前記トレーニングデータに基づいて、前記複数のチャネルのうちのさらなるチャネルが前記送信に利用可能になるのを待つかどうかを決定するためのコード
によって特徴付けられる、コンピュータ可読媒体。
【手続補正２】
【補正対象書類名】明細書
【補正対象項目名】０１１４
【補正方法】変更
【補正の内容】
【０１１４】
[0124]上述の開示は、例示的な態様を示すが、様々な変形形態および変更形態が、添付の特許請求の範囲によって定義される本開示の範囲から逸脱することなく本明細書において作成可能であることに留意されたい。本明細書で説明する本開示の態様による方法クレームの機能、ステップおよび／または活動は、特定の順序で実施されなくてもよい。さらに、いくつかの態様は、単数形で説明または特許請求されていることがあるが、単数形に限定することが明示的に述べられていない限り、複数形が企図される。
以下に本願の出願当初の特許請求の範囲に記載された発明を付記する。
[Ｃ１]  動的な帯域幅管理のための方法であって、
トレーニング期間中に免許不要スペクトルにおける複数のチャネルを監視することによってトレーニングデータを取得することと、
前記複数のチャネルのうちの少なくとも第１のチャネルが送信に利用可能であると決定することと、
前記トレーニングデータに基づいて、前記複数のチャネルのうちのさらなるチャネルが前記送信に利用可能になるのを待つかどうかを決定することとを備える、方法。
[Ｃ２]  前記トレーニングデータを取得することが、
チャネル状態のセットに対して、前記送信に続く送信機会内にさらなるチャネルが利用可能にならない可能性を示す確率の対応するセットを推定することを備える、Ｃ１に記載の方法。
[Ｃ３]  さらなるチャネルが利用可能にならない前記確率を推定することが、
前記トレーニング期間中の複数の送信時間に対して、前記複数の送信時間の各々に続く送信機会の間に前記さらなるチャネルが利用可能になったかどうかを決定することと、
前記複数の送信時間の各々を、前記送信時間におけるチャネル状態の前記セットのうちのそれぞれのチャネル状態と関連付けることと、
さらなるチャネルが利用可能になっていない、各チャネル状態に対する前記複数の送信時間の一部を決定することとを備える、Ｃ２に記載の方法。
[Ｃ４]  チャネル状態の前記セットが、前記それぞれの送信時間における利用可能なチャネルの数に基づく、Ｃ２に記載の方法。
[Ｃ５]  チャネル状態の前記セットが、前記それぞれの送信時間における利用可能なチャネルの組合せに基づく、Ｃ２に記載の方法。
[Ｃ６]  前記さらなるチャネルを待つかどうかを決定することが、
チャネル状態の前記セットからの第１のチャネル状態に基づいて確率の前記セットから第１の確率を選択することと、ここにおいて、前記第１のチャネル状態が現在のチャネル状態であり、
第１の乱数または擬似乱数を生成することと、
前記第１の乱数または擬似乱数が第１のしきい値を超えるとき、前記さらなるチャネルを待つことと、ここにおいて、前記第１のしきい値が前記確率に基づく、を備える、Ｃ２に記載の方法。
[Ｃ７]  第１のさらなるチャネルが利用可能になったと決定することと、
チャネル状態の前記セットからの第２のチャネル状態に基づいて確率の前記セットから第２の確率を選択することと、
第２の乱数または擬似乱数を生成することと、
前記第２の乱数または擬似乱数が第２のしきい値を超えるとき、第２のさらなるチャネルを待つことと、ここにおいて、前記第２のしきい値が前記第２の確率に基づく、をさらに備える、Ｃ６に記載の方法。
[Ｃ８]  前記トレーニングデータを取得することが、
前記複数のチャネルのうちの少なくとも１つの利用可能なチャネルを有する潜在的送信時間に対して複数のサンプルを収集することと、各サンプルが、前記複数のチャネルにそれぞれ対応する複数のバックオフカウンタの状態を示し、
前記サンプルの前記送信時間が好ましい送信時間であるかどうかを決定するために各サンプルを評価することとを備える、Ｃ１に記載の方法。
[Ｃ９]  前記トレーニングデータに基づいて、前記複数のチャネルのうちのさらなるチャネルが前記送信に利用可能になるのを待つかどうかを決定することが、前記複数のサンプルに基づいて前記複数のチャネルに対して現在のカウンタ状態ベクトルを分類するために機械学習分類器を使用することを備える、Ｃ８に記載の方法。
[Ｃ１０]  各サンプルの利用可能なチャネルの数に基づいて前記複数のサンプルを異なるセットに分けることをさらに備え、ここにおいて、現在のカウンタ状態ベクトルを分類するために機械学習分類器を使用することが、前記現在のカウンタ状態ベクトルの利用可能なチャネルの数に対応する前記セットに基づいて前記現在のカウンタ状態ベクトルを分類するために前記機械学習分類器を使用することを備える、Ｃ９に記載の方法。
[Ｃ１１]  前記サンプルの前記送信時間が好ましい送信時間であると決定することが、前記送信時間に続く送信機会の間に利用可能なチャネルの数が増えなかったと決定することを備える、Ｃ８に記載の方法。
[Ｃ１２]  前記サンプルの前記送信時間が好ましい送信時間であると決定することが、前記送信時間に続く送信機会の間に前記利用可能なチャネルの利用可能な帯域幅が増えなかったと決定することを備える、Ｃ８に記載の方法。
[Ｃ１３]  利用可能なチャネルに対応する前記複数のバックオフカウンタからのバックオフカウンタの前記状態が、前記利用可能なチャネルが利用可能である時間量を示す、Ｃ８に記載の方法。
[Ｃ１４]  送信機会の継続時間の間待つことと、前記送信機会の前記継続時間の間にさらなるチャネルが利用可能にならないとき、前記少なくとも１つのチャネル上で送信することとをさらに備える、Ｃ１に記載の方法。
[Ｃ１５]  動的な帯域幅管理のための装置であって、
トレーニング期間中に免許不要スペクトルにおける複数のチャネルを監視することによってトレーニングデータを取得するように構成されたチャネル評価構成要素と、
前記複数のチャネルのうちの少なくとも第１のチャネルが送信に利用可能であると決定するように構成されたトレーニング構成要素と、
前記トレーニングデータに基づいて、前記複数のチャネルのうちのさらなるチャネルが前記送信に利用可能になるのを待つかどうかを決定するように構成されたチャネル選択構成要素とを備える、装置。
[Ｃ１６]  前記トレーニング構成要素が、チャネル状態のセットに対して、前記送信に続く送信機会内にさらなるチャネルが利用可能にならない可能性を示す確率の対応するセットを推定するようにさらに構成される、Ｃ１５に記載の装置。
[Ｃ１７]  前記トレーニング構成要素が、
前記トレーニング期間中の複数の送信時間に対して、前記複数の送信時間の各々に続く送信機会の間に前記さらなるチャネルが利用可能になったかどうかを決定し、
前記複数の送信時間の各々を、前記送信時間におけるチャネル状態の前記セットのうちのそれぞれのチャネル状態と関連付け、
さらなるチャネルが利用可能になっていない、各チャネル状態に対する前記複数の送信時間の一部を決定するようにさらに構成される、Ｃ１６に記載の装置。
[Ｃ１８]  チャネル状態の前記セットが、前記それぞれの送信時間における利用可能なチャネルの数に基づく、Ｃ１６に記載の装置。
[Ｃ１９]  チャネル状態の前記セットが、前記それぞれの送信時間における利用可能なチャネルの組合せに基づく、Ｃ１６に記載の装置。
[Ｃ２０]  前記チャネル選択構成要素が、
チャネル状態の前記セットからの第１のチャネル状態に基づいて確率の前記セットから第１の確率を選択し、ここにおいて、前記第１のチャネル状態が現在のチャネル状態であり、
第１の乱数または擬似乱数を生成し、
前記第１の乱数または擬似乱数が第１のしきい値を超えるとき、前記さらなるチャネルを待つ、ここにおいて、前記第１のしきい値が前記確率に基づく、ようにさらに構成される、Ｃ１６に記載の装置。
[Ｃ２１]  前記チャネル選択構成要素が、
第１のさらなるチャネルが利用可能になったと決定し、
チャネル状態の前記セットからの第２のチャネル状態に基づいて確率の前記セットから第２の確率を選択し、
第２の乱数または擬似乱数を生成し、
前記第２の乱数または擬似乱数が第２のしきい値を超えるとき、第２のさらなるチャネルを待つ、ここにおいて、前記第２のしきい値が前記第２の確率に基づく、ようにさらに構成される、Ｃ２０に記載の装置。
[Ｃ２２]  前記トレーニング構成要素が、
前記複数のチャネルのうちの少なくとも１つの利用可能なチャネルを有する潜在的送信時間に対して複数のサンプルを収集し、各サンプルが、前記複数のチャネルにそれぞれ対応する複数のバックオフカウンタの状態を示し、
前記サンプルの前記送信時間が好ましい送信時間であるかどうかを決定するために各サンプルを評価するようにさらに構成される、Ｃ１５に記載の装置。
[Ｃ２３]  前記チャネル選択構成要素が、前記複数のサンプルに基づいて前記複数のチャネルに対して現在のカウンタ状態ベクトルを分類するように構成された機械学習分類器をさらに備える、Ｃ２２に記載の装置。
[Ｃ２４]  前記機械学習分類器が、各サンプルの利用可能なチャネルの数に基づいて前記複数のサンプルを異なるセットに分け、前記現在のカウンタ状態ベクトルの利用可能なチャネルの数に対応する前記セットに基づいて前記現在のカウンタ状態ベクトルを分類するようにさらに構成される、Ｃ２３に記載の装置。
[Ｃ２５]  前記サンプルの前記送信時間が好ましい送信時間であると決定することが、前記送信時間に続く送信機会の間に利用可能なチャネルの数が増えなかったと決定することを備える、Ｃ２２に記載の装置。
[Ｃ２６]  前記サンプルの前記送信時間が好ましい送信時間であると決定することが、前記送信時間に続く送信機会の間に前記利用可能なチャネルの利用可能な帯域幅が増えなかったと決定することを備える、Ｃ２２に記載の装置。
[Ｃ２７]  利用可能なチャネルに対応する前記複数のバックオフカウンタからのバックオフカウンタの前記状態が、前記利用可能なチャネルが利用可能である時間量を示す、Ｃ２２に記載の装置。
[Ｃ２８]  前記チャネル選択構成要素が、送信機会の継続時間の間待ち、前記送信機会の前記継続時間の間にさらなるチャネルが利用可能にならないとき、前記少なくとも１つのチャネル上で送信するように構成される、Ｃ１５に記載の装置。
[Ｃ２９]  動的な帯域幅管理のための装置であって、
トレーニング期間中に免許不要スペクトルにおける複数のチャネルを監視することによってトレーニングデータを取得するための手段と、
前記複数のチャネルのうちの少なくとも第１のチャネルが送信に利用可能であると決定するための手段と、
前記トレーニングデータに基づいて、前記複数のチャネルのうちのさらなるチャネルが前記送信に利用可能になるのを待つかどうかを決定するための手段とを備える、装置。
[Ｃ３０]  コンピュータ実行可能コードを記憶するコンピュータ可読媒体であって、
トレーニング期間中に免許不要スペクトルにおける複数のチャネルを監視することによってトレーニングデータを取得するためのコードと、
前記複数のチャネルのうちの少なくとも第１のチャネルが送信に利用可能であると決定するためのコードと、
前記トレーニングデータに基づいて、前記複数のチャネルのうちのさらなるチャネルが前記送信に利用可能になるのを待つかどうかを決定するためのコードとを備える、コンピュータ可読媒体。